(57)【要約】  通信分野で用いられるセル管理のための測定方法、基地局および通信システムが本発明で開示される。本方法は、ユーザ機器（ＵＥ）の下りサービスのトラフィックが第１閾値以上の場合、ＵＥの下りサービスのトラフィックを監視し、および／または、ＵＥの作動セルの下りチャネルのチャネル状態が第２閾値以下の場合、ＵＥの作動セルの下りチャネルのチャネル状態を監視し、ＵＥに測定構成メッセージを送信して、ＵＥに測定構成メッセージが示すキャリア周波数位置を測定させかつ測定報告を報告させ、測定報告に従いセル管理を行う。本発明の実施形態により提供される方法によると、周波数位置を測定する機構がセル管理に効果的に適用できないという従来技術の課題を解決できる。
2013531422.tif 000002
【特許請求の範囲】
【請求項１】
セル管理のための測定方法であって、
ユーザ機器（ＵＥ）の下りサービスのトラフィックが第１閾値以上の場合、前記ＵＥの下りサービスのトラフィックを監視し、および／または、前記ＵＥの作動セルの下りチャネルのチャネル状態が第２閾値以下の場合、前記ＵＥの作動セルの下りチャネルのチャネル状態を監視し、
前記ＵＥに測定構成メッセージを送信して、前記ＵＥに測定構成メッセージが示すキャリア周波数位置を測定させかつ測定報告を報告させ、
測定報告に従いセル管理を行うことを特徴とする測定方法。
【請求項２】
第１閾値は、前記ＵＥの無線周波数能力および前記ＵＥの下りサービスのパケット遅延割当に応じて決定され、および／または、
第２閾値は、前記ＵＥの無線周波数能力および前記ＵＥの下りサービスのパケット遅延割当に応じて決定されることを特徴とする請求項１に記載の測定方法。
【請求項３】
測定構成メッセージを前記ＵＥに送信する前に、前記方法は、
前記ＵＥが少なくとも２つのセルが利用可能なサービング範囲内に位置すると決定することさらに含むことを特徴とする請求項１に記載の測定方法。
【請求項４】
前記測定報告に従いセル管理を行うことは、
測定報告を受信し、構成セルを加えること、非作動セルを起動すること、一次セルを変更することのうちの少なくとも１つを用いて測定報告に従い前記ＵＥのセルに処理を行うことを含むことを特徴とする請求項１に記載の測定方法。
【請求項５】
基地局であって、
ユーザ機器（ＵＥ）の下りサービスのトラフィックを監視し、前記ＵＥの下りサービスのトラフィックが第１閾値以上であることを判断するよう構成され、および／または、前記ＵＥの作動セルの下りチャネルのチャネル状態を監視し、前記ＵＥの作動セルの下りチャネルのチャネル状態が第２閾値以下であることを判断する監視決定モジュールと、
前記監視決定モジュールが、前記ＵＥの下りサービスのトラフィックが、第１閾値以上であること、および／または、前記ＵＥの作動セルの下りチャネルのチャネル状態が第２閾値以下であることを判断した後に、前記ＵＥに測定構成メッセージを送信し、前記ＵＥに測定構成メッセージで示すキャリア周波数位置を測定させ、測定報告を報告させるように構成された送信モジュールと、
測定報告を受信し、測定報告に従いセル管理を行うよう構成された受信・セル管理モジュールと
を備えることを特徴とする基地局。
【請求項６】
第１閾値決定モジュールおよび／または第２閾値決定モジュールをさらに備え、
前記第１閾値決定モジュールは、前記ＵＥの無線周波数能力および前記ＵＥの下りサービスのパケット遅延割当に応じて第１閾値を決定するように構成され、第１の閾値は、前記ＵＥの下りサービスのトラフィックが第１閾値以上であると判断するために前記監視決定モジュールに提供され、および／または、
前記第２閾値決定モジュールは、前記ＵＥの無線周波数能力および前記ＵＥの下りサービスのパケット遅延割当に応じて第２閾値を決定するように構成され、第２閾値は、前記ＵＥの作動セルの下りチャネルのチャネル状態が第２閾値以下であると判断するために前記監視決定モジュールに提供されることを特徴とする請求項５に記載の基地局。
【請求項７】
第２決定モジュールをさらに備え、
前記第２決定モジュールは、前記監視決定モジュールのトリガにより、前記送信モジュールを起動して前記ＵＥに測定構成メッセージを送信するために、前記監視決定モジュールが、前記ＵＥの下りサービスのトラフィックを監視し、前記ＵＥの下りサービスのトラフィックが第１の閾値以上であることを判断し、および／または、前記ＵＥの作動セルの下りチャネルのチャネル状態を監視し、前記ＵＥの作動セルの下りチャネルのチャネル状態が第２閾値以下であることを判断した後に、前記ＵＥが少なくとも２つのセルが利用可能なサービング範囲内に位置すると決定するように構成されることを特徴とする請求項５に記載の基地局。
【請求項８】
前記受信・セル管理モジュールは、特に測定報告を受信し、構成セルを加えること、非作動セルを起動すること、一次セルを変更することのうちの少なくとも１つを用いて測定報告に従い前記ＵＥのセルに処理を行うように構成されることを特徴とする請求項５に記載の基地局。
【請求項９】
ユーザ機器（ＵＥ）と通信可能に接続された基地局を備えた通信システムであって、
前記基地局は、前記ＵＥの下りサービスのトラフィックが第１閾値以上の場合、前記ＵＥの下りサービスのトラフィックを監視し、および／または、前記ＵＥの作動セルの下りチャネル状態が第２閾値以下の場合、前記ＵＥの作動セルの下りチャネルのチャネル状態を監視し、
前記ＵＥに測定構成メッセージを送信して、前記ＵＥに測定構成メッセージが示すキャリア周波数位置を測定させかつ測定報告を報告させ、
測定報告に従いセル管理を行うことを特徴とする通信システム。
【請求項１０】
前記基地局は、測定報告に従いセル管理を行い、特に、
前記基地局は、測定報告を受信し、構成セルを加えること、非作動セルを起動すること、一次セルを変更することのうちの少なくとも１つを用いて測定報告に従い前記ＵＥのセルに処理を行うことを含むことを特徴とする請求項９に記載の通信システム。
【発明の詳細な説明】
【技術分野】
【０００１】
本出願は、「セル管理のための測定方法、基地局および通信システム」と題し、２０１０年６月３日に中国特許庁に出願した中国特許出願ＣＮ２０１０１０１９３９７８．６号の利益を主張し、その全体が本明細書に組み込まれる。
本発明の実施例は、通信の技術分野に係り、特にセル管理のための測定方法、基地局および通信システムに関する。
【背景技術】
【０００２】
キャリアアグリゲーション（Ｃａｒｒｅｒ  Ａｇｇｒｅｇａｔｉｏｎ）の技術が、通信システムで使用される。キャリアアグリゲーションの技術では、２つ以上の周波数ブロック（コンポーネントキャリア：ＣＣ）のスペクトルを束ねて、より送信帯域の広い通信システムを形成する。そのシステムでは、各周波数ブロックがシステムと互換性を持つように構成でき、いくつかの周波数ブロックのスペクトルは、隣接する連続スペクトルでもよいし、同一周波数帯で隣接しないスペクトルでもよいし、あるいは、異なる周波数帯の不連続スペクトルでもよい。
【０００３】
基地局は、専用のシグナリングを介してユーザ機器（ＵＥ）に構成セル（ｃｏｎｆｉｇｕｒｅｄ  ｃｅｌｌ）を知らせることができ、構成セルは、ＵＥの無線周波数能力でサポートされるキャリア周波数位置に対応するセルであり、一方、ＵＥの無線周波数能力でサポートされるキャリア周波数位置に対応するが構成されていないセルを非構成セル（ｎｏｎ−ｃｏｎｆｉｇｕｒｅｄ  ｃｅｌｌ）と称する。構成セルは、上りおよび下り資源の両方を含んでもよい。構成セルは、作動状態（ａｃｔｉｖａｔｅｄ  ｓｔａｔｕｓ）か、または、停止状態（ｄｅａｃｔｉｖａｔｅｄ  ｓｔａｔｕｓ）かのいずれかを取りうる。基地局は、複数の構成セルから１つのセルを一次セル（一次セル）として選ぶことができ、他の構成セルは二次セルとして作用する。一次セルは停止できず、一方、二次セル（ｓｅｃｏｎｄａｒｙ  ｃｅｌｌ）は起動または停止できる。
【０００４】
基地局は、測定構成メッセージをＵＥに送信することで、測定を必要とするキャリア周波数位置をＵＥ（ユーザ機器、Ｕｓｅｒ  Ｅｑｕｉｐｍｅｎｔ）に知らせることができ、ＵＥは、例えばＡ３イベントなどの所定条件が満たされる場合に、構成されたキャリア周波数位置を周期的に測定して、測定結果を基地局に報告する。
【発明の概要】
【発明が解決しようとする課題】
【０００５】
従来技術には、周波数位置を測定するメカニズムをセル管理に効果的に適用できない課題がある。
【課題を解決するための手段】
【０００６】
周波数位置を測定するメカニズムをセル管理に効果的に適用できないという従来技術の課題を解決するために、本発明の実施形態は、セル管理のための測定方法、基地局および通信システムを提供する。
【０００７】
本発明の実施形態は、セル管理のための測定方法であって、ユーザ機器（ＵＥ）の下りサービスのトラフィックが第１閾値以上の場合、ＵＥの下りサービスのトラフィックを監視し、および／または、ＵＥの作動セルの下りチャネルのチャネル状態が第２閾値以下の場合、ＵＥの作動セルの下りチャネルのチャネル状態を監視し、ＵＥに測定構成メッセージを送信して、ＵＥに測定構成メッセージが示すキャリア周波数位置を測定させかつ測定報告を報告させ、測定報告に従いセル管理を行う測定方法を提供する。
【０００８】
本発明の実施形態は、基地局であって、ユーザ機器（ＵＥ）の下りサービスのトラフィックを監視し、ＵＥの下りサービスのトラフィックが第１閾値以上であることを判断するよう構成され、および／または、ＵＥの作動セルの下りチャネルのチャネル状態を監視し、ＵＥの作動セルの下りチャネルのチャネル状態が第２閾値以下であることを判断する監視決定モジュールと、監視決定モジュールが、ＵＥの下りサービスのトラフィックが、第１閾値以上であること、および／または、ＵＥの作動セルの下りチャネルのチャネル状態が第２閾値以下であることを判断した後に、ＵＥに測定構成メッセージを送信し、ＵＥに測定構成メッセージで示すキャリア周波数位置を測定させ、測定報告を報告させるように構成された送信モジュールと、測定報告を受信し、測定報告に従いセル管理を行うよう構成された受信・セル管理モジュールとを備えた基地局を提供する。
【０００９】
本発明の実施形態は、ユーザ機器（ＵＥ）と通信可能に接続された基地局を備えた通信システムであって、基地局は、ＵＥの下りサービスのトラフィックが第１閾値以上の場合、ＵＥの下りサービスのトラフィックを監視し、および／または、ＵＥの作動セルの下りチャネル状態が第２閾値以下の場合、ＵＥの作動セルの下りチャネルのチャネル状態を監視し、ＵＥに測定構成メッセージを送信して、ＵＥに測定構成メッセージが示すキャリア周波数位置を測定させかつ測定報告を報告させ、測定報告に従いセル管理を行う通信システムを提供する。
【００１０】
本発明の実施形態により提供されるセル管理のための測定方法、基地局および通信システムによって、ネットワークの状況に応じて必要なときにセル測定を実行でき、それにより、測定に必要な全体の時間が短縮し、ＵＥの電力消費が低減し、省電力性能が向上する。また、測定結果を報告するのに多くの回数が必要な場合がある周期的な測定方法と比較すると、本発明の実施形態は、測定結果を報告するのに１回のみを必要とし、それにより、シグナリングオーバヘッドを減少できる。
【図面の簡単な説明】
【００１１】
本発明の実施形態、または、従来技術における技術的解決策をより明確にするため、本実施形態または従来技術の説明に必要な添付図面を、以下に簡潔に示す。明らかに、以下に示す添付図面は、単に本発明のいくつかの実施形態であり、当業者であればこれらの図面から創造的な苦労なく他の図面を導くことができる。
【００１２】
【図１】図１は、本発明の実施形態により提供されるセル管理のための測定方法を示すフローチャートである。
【図２】図２は、本発明の実施形態により提供されるセル管理のための他の測定方法を示すフローチャートである。
【図３】図３は、本発明の実施形態により提供される基地局の構造を例示的に示す概略図である。
【図４】図４は、本発明の実施形態により提供される通信システムの構造を例示的に示す概略図である。
【発明を実施するための形態】
【００１３】
本発明の実施形態の目的、技術的解決策および効果をより明確にするため、本発明の実施形態による技術的解決策を、本発明の実施形態の添付図面を参照し、以下明確かつ完全に説明する。明らかに、以下に説明する実施形態は、全体というよりも単に本発明の部分的な実施形態である。本発明の実施形態を基礎として、当業者が創造的な苦労なく得ることができる他の全ての実施形態は、本発明の保護範囲内にある。
【００１４】
本発明の実施形態により提供されるセル管理のための測定方法を、以下、図１を参照してより詳細に説明する。図１は、本発明の実施形態により提供されるセル管理のための測定方法を示すフローチャートである。図１に示すように、本方法は、以下のステップを含む。
【００１５】
ステップ１０１：ユーザ機器（ＵＥ）の下りサービスのトラフィックが第１閾値以上の場合、ＵＥの下りサービスのトラフィックを監視し、および／または、ＵＥの作動セルの下りチャネルのチャネル状態が第２閾値以下の場合、ＵＥの作動セルの下りチャネルのチャネル状態を監視し、ＵＥに測定構成メッセージを送信して、ＵＥに測定構成メッセージが示すキャリア周波数位置を測定させかつ測定報告を報告させる。
【００１６】
測定構成メッセージは、ＵＥで測定する必要があるキャリア周波数位置をその中に含んでもよく、キャリア周波数位置に対応するセルは非作動セルまたは非構成セルのいずれかでもよい。
【００１７】
所望により、ＵＥに測定構成メッセージを送信する前に、本方法は、
ＵＥが少なくとも２つのセルのサービス範囲内に位置すると判断すること、を更に含んでもよい。
【００１８】
上記第１閾値は、特定範囲の通信状態の経験、または特定の位置の通信状態の経験、または特定のシナリオの下での通信状態の経験に従って決定でき、ＵＥの無線周波数能力（ｒａｄｉｏ  ｆｒｅｑｕｅｎｃｙ  ｃａｐａｂｉｌｉｔｙ）およびＵＥの下りサービスのパケット遅延割当（ｐａｃｋｅｔ  ｄｅｌａｙ  ｂｕｄｇｅｔ）に従い決定できる。
【００１９】
具体的には、一実施例において、基地局はＵＥに測定構成メッセージを送信して、ＵＥに測定報告を報告する期間を取らせ、そしてこの期間はＵＥが行うサービスのパケット遅延割当を超えることができない。同時に、ＵＥの無線周波数能力はＵＥの測定時間に影響を及ぼし、例えば、同一周波数の測定の場合、ＵＥは、測定ギャップを割り当てることなく２００ｍｓ以内に測定を完了して測定報告を報告することができ、一方、異なる周波数での測定の場合、測定ギャップを割り当てる必要があり、ＵＥが測定を完了して測定報告を報告するには４８０ｍｓかかる。従って、ＵＥの無線周波数能力およびＵＥの下りサービスのパケット遅延割当に応じていくつかの異なる不連続な閾値を選択でき、上記異なる閾値を使用してＵＥを示す測定構成メッセージを基地局に発行させ、セル測定を実行させて測定報告を報告させ、それにより基地局は測定報告に従いセル管理を行い、第１閾値として、例えばＵＥの電力消費状況、ＵＥとネットワーク間で送受信するシグナリングの数、および、ネットワークの輻輳を引き起こすことなくタイムリなセル管理を実行可能か否かなどの上記手順の技術的効果を試すことにより、より良い技術的効果を奏する閾値を使用できる。
【００２０】
上記記載は、単に本発明を制限することのない本発明の実施形態により提供される一実施例である。
【００２１】
上記第２閾値は、ＵＥの無線周波数能力およびＵＥの下りサービスのパケット遅延割当に従って決定できる。第２閾値は、第１閾値と同じ方法で得ることができる。
【００２２】
第１閾値および第２閾値は基地局に設定でき、閾値を決定するアルゴリズムを基地局に設定して、ある期間の後に第１閾値および第２閾値を更新することもできる。
【００２３】
下りサービスのトラフィックは、送信レートなどのパラメータにより表すことができる。
【００２４】
チャネル状態は、チャネル品質情報（ＣＱＩ）またはハイブリッド自動再送要求（ＨＡＲＱ）により表すことができ、チャネル状態を示すパラメータを、ＣＱＩおよびＨＡＲＱなどのパラメータを用いて加重方法で決定することもできる。
【００２５】
ステップ１０２、基地局は、測定報告に従いセル管理を行う。
【００２６】
セル管理は、基地局で行われる、ＵＥの無線周波数能力でサポートされたキャリア周波数位置に対応するセルについての管理を含み、例えば、構成セルを加えること、構成セルを削除すること、セルを再構成すること、構成セルを起動および停止すること、および、一次セルを変更することである。
【００２７】
特に、測定報告を受信した後に、基地局はＵＥにより報告される測定結果に従い、構成セルを加えることおよび／または非作動セルを起動することができる。
【００２８】
測定報告に応じたセル管理は、構成セルを加えること、非作動セルを起動すること、一次セルを変更することの処理手法のうちの少なくとも１つを用いて測定報告に従いＵＥのセルを処理することを含む。
【００２９】
一実施例において、上述した処理方法を、作動セルを停止させおよび／または構成セルを削除する方法と組み合わせて使用してセル管理を行うこともできる。例えば、質の悪いチャネル状態の所定の構成セルを削除し、そして構成セルを加えるかまたは非作動セルを起動させることができ、または、質の悪いチャネル状態の所定のセルを停止させ、そして構成セルを加えまたは非作動セルを起動させることができる。なお、当業者は直接的にかつ疑いなく、技術的課題を解決可能な上述のセル管理の解決策を得ることができる。
【００３０】
上記セル管理は、利用可能なセルを加えるかまたは作動セルの送信能力を向上させることによって、下りサービスの送信を送信品質の要求を満たすようにすることができる。
【００３１】
周波数位置を周期的に測定する方法（すなわち、基地局は測定する周波数位置をＵＥに知らせるために測定構成メッセージをＵＥに発行し、ＵＥは構成された周波数位置を周期的に測定すること）では、基地局は、トラフィックの増加状況および／またはチャネル品質の悪化状況に応じてセル構成を実行できず、適切な測定期間を構成できない。構成される期間が短い場合にはＵＥの電力消費は極めて高く、構成される期間が長い場合には質の悪い時間的有効性によりその期間をセル管理に適用できず、ＵＥによる構成された周波数位置の周期的測定および報告から比較的大きいシグナリングオーバヘッドが生じる。本発明の実施形態により提供される方法によって、ネットワークの状況に応じて必要なときに測定を実行でき、それにより、測定に必要な全体の時間が短縮し、ＵＥの電力消費が低減し、省電力性能が向上する。また、測定結果を報告するのに多くの回数が必要な場合がある周期的な測定方法と比較すると、本発明の実施形態は、測定結果を報告するのに１回のみを必要とし、それにより、シグナリングオーバヘッドを減少できる。
【００３２】
本発明の実施形態により提供されるセル管理のための測定方法を、図２を参照して以下更に詳細に説明する。図２は、本発明の実施形態により提供されるセル管理のための他の測定方法を示すフローチャートである。図２に示すように、本方法は以下のステップを含む。
【００３３】
ステップ２０１：基地局は、ユーザ機器（ＵＥ）の下りサービスのトラフィックを監視し、ＵＥの下りサービスのトラフィックが第１閾値以上か否かを判断し、ＵＥの下りサービスのトラフィックが第１閾値以上の場合、ステップ２０２を行いまたはステップ２０３を行い、ＵＥの下りサービスのトラフィックが第１閾値より小さい場合ステップ２０１を行う。
【００３４】
第１閾値は、特定範囲の通信状態の経験、または特定の位置の通信状態の経験、または特定のシナリオの下での通信状態の経験に従い決定でき、ＵＥの無線周波数能力およびＵＥの下りサービスのパケット遅延割当に従い決定することもできる。
【００３５】
具体的には、一実施例において、基地局はＵＥに測定構成メッセージを送信して、ＵＥに測定報告を報告する期間を要求させ、そしてこの期間はＵＥが行うサービスのパケット遅延割当を超えることができない。同時に、ＵＥの無線周波数能力はＵＥの測定時間に影響を及ぼし、例えば、同一周波数の測定の場合、ＵＥは測定ギャップを割り当てることなく２００ｍｓ以内に測定を完了して測定報告を報告することができ、一方、異なる周波数での測定の場合、測定ギャップを割り当てる必要があり、ＵＥが測定を完了して測定報告を報告するには４８０ｍｓかかる。従って、ＵＥの無線周波数能力およびＵＥの下りサービスのパケット遅延割当に従い、いくつかの異なる不連続な閾値を選択することができ、上記異なる閾値を使用してセル測定を実行して測定報告を報告するＵＥを示す測定構成メッセージを基地局に発行させ、これにより基地局は測定報告に従いセル管理を行い、第１閾値として、例えばＵＥの電力消費状況、ＵＥとネットワーク間で送受信するシグナリングの数、および、ネットワークの輻輳を引き起こすことなくタイムリなセル管理を実行可能か否かなどの上記手順の技術的効果を試すことにより、より良い技術的効果を奏する閾値を使用できる。
【００３６】
下りサービスのトラフィックは、送信レート等のパラメータにより表すことができる。
【００３７】
ステップ２０２：基地局は、ＵＥの作動セルの下りチャネルのチャネル状態を監視し、ＵＥの作動セルの下りチャネルのチャネル状態が第２閾値以下か否か判断し、ＵＥの作動セルの下りチャネルの状態が第２閾値以下の場合ステップ２０３を行い、ＵＥの作動セルの下りチャネルのチャネル状態が第２閾値より良好な場合ステップ２０１を行う。
【００３８】
一実施例において、ステップ２０１を行うことなく直接ステップ２０２を実行することができ、すなわち、基地局は、ＵＥの作動セルの下りチャネルのチャネル状態を監視し、ＵＥの作動セルの下りチャネルのチャネル状態が第２閾値以下の場合ステップ２０３を行い、ＵＥの作動セルの下りチャネルのチャネル状態が第２閾値より良好な場合ステップ２０２を行う。
【００３９】
第２閾値は、ＵＥの無線周波数能力およびＵＥの下りサービスのパケット遅延割当に従い決定できる。第２閾値は、第１閾値と同じ方法で得ることができる。
【００４０】
チャネル状態は、チャネル品質情報（ＣＱＩ）またはハイブリッド自動再送要求（ＨＡＲＱ）により表すことができ、チャネル状態を示すパラメータを、ＣＱＩおよびＨＡＲＱなどのパラメータを用いて加重方法で決定することもできる。
【００４１】
ステップ２０３：基地局は、ＵＥが少なくとも２つのセルのサービス範囲内に位置するか否かを判断し、ＵＥの少なくとも２つのセルのサービス範囲内にＵＥが位置する場合ステップ２０４を行い、そうでなければステップ２０１を行う。
【００４２】
一実施例においては、ステップ２０１を行わずにステップ２０２を直接行う。ＵＥの少なくとも２つのセルのサービス範囲内にＵＥが位置しない場合、ステップ２０２を行うことができる。
【００４３】
具体的には、ＵＥが位置する範囲の情報は、基準信号受信動力（ＲＳＲＰ）測定およびグローバル・ポジション・システム（ＧＰＳ）位置決めなどの方法で得ることができる。
【００４４】
ステップ２０３はオプションであり、ステップ２０３が行われない場合、以下のステップが順次行われる。
【００４５】
ステップ２０４：基地局は、ＵＥに測定構成メッセージを発行する。
【００４６】
測定構成メッセージは、ＵＥで測定される周波数位置をその中に含んでもよく、周波数位置に対応するセルは非作動セルまたは非構成セルのいずれかでもよい。
【００４７】
ステップ２０５：基地局は、ＵＥにより報告される測定報告を受信する。
【００４８】
具体的には、ＵＥは、基地局が発行した測定構成メッセージに従って測定を行い、条件（例えばＡ３イベント）を満たす測定結果を基地局に報告する。
【００４９】
ステップ２０６：基地局は、ＵＥにより報告される測定報告に従いセル管理を行う。
【００５０】
具体的には、基地局は、ＵＥにより報告される測定結果に従い、構成セルを加えおよび／または非作動セルを起動することができる。
【００５１】
測定報告に応じたセル管理は、構成セルを加えること、非作動セルを起動すること、一次セルを変更することの処理手法のうちの少なくとも１つを用いて測定報告に従いＵＥのセルを処理することを含む。
【００５２】
一実施例において、上述した処理方法を、作動セルを停止させおよび／または構成セルを削除する方法と組み合わせて使用してセル管理を行うこともできる。例えば、質の悪いチャネル状態の所定の構成セルを削除し、そして構成セルを加えるかまたは非作動セルを起動させることができ、または、質の悪いチャネル状態の所定のセルを停止させ、そして構成セルを加えまたは非作動セルを起動させることができる。なお、当業者は直接的にかつ疑いなく、技術的課題を解決可能な上述のセル管理の解決策を得ることができる。
【００５３】
上記セル管理は、利用可能なセルを加えるかまたは作動セルの送信能力を向上させることによって、下りサービスの送信を送信品質の要求を満たすようにすることができる。
【００５４】
本発明の実施形態により提供される方法によって、ネットワークの状況に応じて必要なときに測定を実行でき、それにより、測定に必要な全体の時間が短縮し、ＵＥの電力消費が低減し、省電力性能が向上する。また、測定結果を報告するのに多くの回数が必要な場合がある周期的な測定方法と比較すると、本発明の実施形態は、測定結果を報告するのに１回のみを必要とし、それにより、シグナリングオーバヘッドを減少できる。
【００５５】
本発明の実施形態により提供される基地局を、図３を参照して以下更に詳細に説明する。図３は、本発明の実施形態により提供される基地局の構造を例示的に示す概略図である。図３に示すように、基地局は以下のモジュールを含む。
【００５６】
監視決定モジュール３０１は、ユーザ機器（ＵＥ）の下りサービスのトラフィックを監視し、ＵＥの下りサービスのトラフィックが第１閾値以上であることを判断するように構成され、および／または、ＵＥの作動セルの下りチャネルのチャネル状態を監視し、ＵＥの作動セルの下りチャネルのチャネル状態が第２閾値以下であることを判断するように構成される。
【００５７】
送信モジュール３０２は、監視決定モジュールが、ＵＥの下りサービスのトラフィックが第１閾値以上であること、および／または、ＵＥの作動セルの下りチャネルのチャネル状態が第２閾値以下であることを判断した後に、ＵＥに測定構成メッセージを送信し、ＵＥに測定構成メッセージで示すキャリア周波数位置を測定させ、測定報告を報告させるように構成される。
【００５８】
測定構成メッセージは、ＵＥで測定される周波数位置をその中に含んでもよく、周波数位置に対応するセルは非作動セルまたは非構成セルのいずれかでもよい。
【００５９】
受信・セル管理モジュール３０３は、測定報告を受信し、測定報告に従いセル管理を行うよう構成される。
【００６０】
基地局は、ＵＥの下りサービスのトラフィックが第１閾値以上であることを判断するために監視決定モジュール３０１に提供するため、ＵＥの無線周波数能力およびＵＥの下りサービスのパケット遅延割当に従って第１閾値を決定する第１閾値決定モジュール３０４をさらに備えてもよい。
【００６１】
上記第１閾値は、特定範囲の通信状態の経験、または特定の位置の通信状態の経験、または特定のシナリオの下での通信状態の経験に従って決定できる。
【００６２】
具体的には、一実施例において、基地局はＵＥに測定構成メッセージを送信して、ＵＥに測定報告を報告する期間を取らせ、そしてこの期間はＵＥが行うサービスのパケット遅延割当を超えることができない。同時に、ＵＥの無線周波数能力はＵＥの測定時間に影響を及ぼし、例えば、同一周波数の測定の場合、ＵＥは、測定ギャップを割り当てることなく２００ｍｓ以内に測定を完了して測定報告を報告することができ、一方、異なる周波数での測定の場合、測定ギャップを割り当てる必要があり、ＵＥが測定を完了して測定報告を報告するには４８０ｍｓかかる。従って、ＵＥの無線周波数能力およびＵＥの下りサービスのパケット遅延割当に従い、いくつかの異なる不連続な閾値を選択することができ、異なる閾値を使用してセル測定を実行して測定報告を報告するＵＥを示す測定構成メッセージを基地局に発行させ、これにより基地局は測定報告に従いセル管理を行い、第１閾値として、例えばＵＥの電力消費状況、ＵＥとネットワーク間で送受信するシグナリングの数、および、ネットワークの輻輳等を引き起こすことなくタイムリなセル管理を実行可能か否かなどの上記手順の技術的効果を試すことにより、より良い技術的効果を奏する閾値を使用できる。
【００６３】
下りサービスのトラフィックは、送信レートなどのパラメータにより表すことができる。
【００６４】
チャネル状態は、チャネル品質情報（ＣＱＩ）またはハイブリッド自動再送要求（ＨＡＲＱ）により表すことができ、チャネル状態を示すパラメータを、ＣＱＩおよびＨＡＲＱなどのパラメータを用いて加重方法で決定することもできる。
【００６５】
基地局は、ＵＥの作動セルの下りチャネルのチャネル状態が第２閾値以下であることを判断するために監視決定モジュール３０１に提供するため、ＵＥの無線周波数能力およびＵＥの下りサービスのパケット遅延割当に従って第２閾値を決定する第２閾値決定モジュール３０５をさらに備えてもよい。
【００６６】
第２閾値は、第１閾値と同じ方法により得ることができる。
【００６７】
第１閾値および第２閾値は基地局に設定でき、閾値を決定するアルゴリズムを基地局に設定して、ある期間の後に第１閾値および第２閾値を更新することもできる。
【００６８】
好ましくは、基地局は、第２決定モジュール３０６をさらに備え、第２決定モジュール３０６は、ＵＥが少なくとも２つのセルのサービス範囲内に位置することを判断し、監視決定モジュール３０１がＵＥの下りサービスのトラフィックが第１閾値以上であることを判断し、および／または、ＵＥの作動セルの下りチャネルのチャネル状態が第２閾値以下であることを判断した後に、送信モジュール３０２に測定構成メッセージをＵＥに送信させるようにされる。
【００６９】
受信・セル管理モジュール３０３は、具体的には、測定報告を受信するのに使用され、構成セルを加えること、非作動セルを起動すること、一次セルを変更することの処理手法のうちの少なくとも１つを用いて測定報告に従いＵＥのセルを処理する。
【００７０】
測定報告に応じたセル管理は、構成セルを加えること、非作動セルを起動すること、一次セルを変更することの処理手法のうちの少なくとも１つを用いて測定報告に従いＵＥのセルを処理することを含む。
【００７１】
一実施例において、上述した処理方法を、作動セルを停止させおよび／または構成セルを削除する方法と組み合わせて使用してセル管理を行うこともできる。例えば、質の悪いチャネル状態の所定の構成セルを削除し、そして構成セルを加えるかまたは非作動セルを起動させることができ、または、質の悪いチャネル状態の所定のセルを停止させ、そして構成セルを加えまたは非作動セルを起動させることができる。なお、当業者は直接的にかつ疑いなく、技術的課題を解決可能な上述のセル管理の解決策を得ることができる。
【００７２】
上記セル管理は、利用可能なセルを加えるかまたは作動セルの送信能力を向上させることによって、下りサービスの送信を送信品質の要求を満たすようにすることができる。
【００７３】
周波数位置を周期的に測定する方法（すなわち、基地局は測定する周波数位置をＵＥに知らせるために測定構成メッセージをＵＥに発行し、ＵＥは構成された周波数位置を周期的に測定すること）では、基地局は、トラフィックの増加状況および／またはチャネル品質の悪化状況に応じてセル構成を実行できず、適切な測定期間を構成できない。構成される期間が短い場合にはＵＥの電力消費は極めて高く、構成される期間が長い場合には質の悪い時間的有効性によりその期間をセル管理に適用できず、ＵＥによる構成された周波数位置の周期的測定および報告から比較的大きいシグナリングオーバヘッドが生じる。本発明の実施形態により提供される方法によって、ネットワークの状況に応じて必要なときに測定を実行でき、それにより、測定に必要な全体の時間が短縮し、ＵＥの電力消費が低減し、省電力性能が向上する。また、測定結果を報告するのに多くの回数が必要な場合がある周期的な測定方法と比較すると、本発明の実施形態は、測定結果を報告するのに１回のみを必要とし、それにより、シグナリングオーバヘッドを減少できる。
【００７４】
基地局の他の構成および機能は、前述の方法の実施形態を参照でき、以下ではこれ以上説明しない。
【００７５】
本発明の実施形態により提供される通信システムを、図４を参照して以下更に詳細に説明する。図４は、本発明の実施形態により提供される通信システムの構造を例示的に示す概略図である。図４に示すように、本システムは、ユーザ機器４０２と通信可能に接続された基地局４０１を含む。
【００７６】
基地局４０１は、ユーザ機器４０２の下りサービスのトラフィックが第１閾値以上の場合、ユーザ機器４０２の下りサービスの下りトラフィックを監視し、および／または、ユーザ機器の作動セルの下りチャネル状態が第２閾値以下の場合、ユーザ機器の作動セルの下りチャネルのチャネル状態を監視し、
【００７７】
ＵＥに測定構成メッセージを送信して、ユーザ機器４０２に測定構成メッセージが示すキャリア周波数位置を測定させおよび測定報告を報告させ、
【００７８】
測定報告に従いセル管理を行う。
【００７９】
測定構成メッセージは、ユーザ機器４０２で測定される周波数位置をその中に含んでもよく、周波数位置に対応するセルは非作動セルまたは非構成セルのいずれかでもよい。
【００８０】
第１閾値は、特定範囲の通信状態の経験、または特定の位置の通信状態の経験、または特定のシナリオの下での通信状態の経験に従って決定できる。
【００８１】
下りサービスのトラフィックは、送信レートなどのパラメータにより表すことができる。
【００８２】
チャネル状態は、チャネル品質情報（ＣＱＩ）またはハイブリッド自動再送要求（ＨＡＲＱ）により表すことができ、チャネル状態を示すパラメータを、ＣＱＩおよびＨＡＲＱなどのパラメータを用いて加重方法で決定することもできる。
【００８３】
第２閾値は、第１閾値と同じ方法で得ることができる。
【００８４】
第１閾値および第２閾値は基地局４０１に設定でき、閾値を決定するアルゴリズムを基地局４０１に設定して、ある期間の後に第１閾値および第２閾値を更新することもできる。
【００８５】
基地局４０１は、ユーザ機器４０２に測定構成メッセージを送信する前に、ユーザ機器４０２が少なくとも２つのセルのサービス範囲内に位置すると判断するのにさらに用いられる。
【００８６】
基地局４０１によって行われる測定報告に応じたセル管理は、具体的には、基地局４０１が測定報告を受信し、構成セルを加えること、非作動セルを起動すること、一次セルを変更することの処理手法のうちの少なくとも１つを用いて測定報告に従いユーザ機器４０２のセルを処理することを含む。
【００８７】
一実施例において、上述した処理方法を、作動セルを停止させおよび／または構成セルを削除する方法と組み合わせて使用してセル管理を行うこともできる。例えば、質の悪いチャネル状態の所定の構成セルを削除し、そして構成セルを加えるかまたは非作動セルを起動させることができ、または、質の悪いチャネルを有する所定のセルを停止させ、そして構成セルを加えまたは非作動セルを起動させることができる。なお、当業者は直接的にかつ疑いなく、技術的課題を解決可能な上述のセル管理の解決策を得ることができる。
【００８８】
上記セル管理は、利用可能なセルを加えるかまたは作動セルの送信能力を向上させることによって、下りサービスの送信を送信品質の要求を満たすようにすることができる。
【００８９】
基地局の他の構成および機能は、前述の方法の実施形態を参照でき、以下ではこれ以上説明しない。
【００９０】
周波数位置を周期的に測定する方法（すなわち、基地局４０１は測定する周波数位置をユーザ機器４０２に知らせるために測定構成メッセージをユーザ機器４０２に発行し、ユーザ機器４０２は構成された周波数位置を周期的に測定すること）では、基地局４０１は、トラフィックの増加状況および／またはチャネル品質の悪化状況に応じてセル構成を実行できず、適切な測定期間を構成できない。構成される期間が短い場合にはユーザ機器４０２の電力消費は極めて高く、構成される期間が長い場合には質の悪い時間的有効性によりその期間をセル管理に適用できず、ユーザ機器４０２による構成された周波数位置の周期的測定および報告から比較的大きいシグナリングオーバヘッドが生じる。本発明の実施形態により提供される方法によって、ネットワークの状況に応じて必要なときに測定を実行でき、それにより、測定に必要な全体の時間が短縮し、ユーザ機器４０２の電力消費が低減し、省電力性能が向上する。また、測定結果を報告するのに多くの回数が必要な場合がある周期的な測定方法と比較すると、本発明の実施形態は、測定結果を報告するのに１回のみを必要とし、それにより、シグナリングオーバヘッドを減少できる。
【００９１】
当業者は、上述した方法の実施形態を達成するステップの全部または一部が、プログラムで指示される関連するハードウェアで実装でき、プログラムはコンピュータ読み取り可能な記録媒体に格納でき、実行時に上述した方法の実施形態を含む各ステップを実行できることを理解できる。上記記憶媒体は、ＲＯＭ、ＲＡＭ、磁気ディスクまたは光ディスクなどのプログラムコードを記憶可能な各種の媒介物を含む。
【００９２】
最後に述べるべき点は、上述した実施形態は、本発明の技術的な解決案を限定するよりも単に説明するために提示されたものであることである。本発明を上述した実施形態を参照して詳述するが、当業者は、種々の実施形態において示された技術的な解決案を変形しまたは部分的な技術的特徴を均等に置き換えることができることを理解するはずであり、このような変形または置換は、対応する技術的な解決案を、本発明の種々の実施形態の技術的な解決案の精神および範囲から実質的に逸脱させるものではない。
【図１】
2013531422.tif 000003
【図２】
2013531422.tif 000004
【図３】
2013531422.tif 000005
【図４】
2013531422.tif 000006
【手続補正書】
【提出日】平成25年1月11日(2013.1.11)
【手続補正１】
【補正対象書類名】明細書
【補正対象項目名】０００６
【補正方法】変更
【補正の内容】
【０００６】
周波数位置を測定するメカニズムをセル管理に効果的に適用できないという従来技術の課題を解決するために、本発明は、セル管理のための測定方法、基地局および通信システムを提供する。
【手続補正２】
【補正対象書類名】明細書
【補正対象項目名】０００７
【補正方法】変更
【補正の内容】
【０００７】
本発明の第１の観点は、セル管理のための測定方法であって、ユーザ機器（ＵＥ）の下りサービスのトラフィックが第１閾値以上の場合、ＵＥの下りサービスのトラフィックを監視し、および／または、ＵＥの作動セルの下りチャネルのチャネル状態が第２閾値以下の場合、ＵＥの作動セルの下りチャネルのチャネル状態を監視し、ＵＥに測定構成メッセージを送信して、ＵＥに測定構成メッセージが示すキャリア周波数位置を測定させかつ測定報告を報告させ、測定報告に従いセル管理を行う測定方法に係る。
【手続補正３】
【補正対象書類名】明細書
【補正対象項目名】０００８
【補正方法】変更
【補正の内容】
【０００８】
本発明の第２の観点は、基地局であって、ユーザ機器（ＵＥ）の下りサービスのトラフィックを監視し、ＵＥの下りサービスのトラフィックが第１閾値以上であることを判断するよう構成され、および／または、ＵＥの作動セルの下りチャネルのチャネル状態を監視し、ＵＥの作動セルの下りチャネルのチャネル状態が第２閾値以下であることを判断する監視決定モジュールと、監視決定モジュールが、ＵＥの下りサービスのトラフィックが、第１閾値以上であること、および／または、ＵＥの作動セルの下りチャネルのチャネル状態が第２閾値以下であることを判断した後に、ＵＥに測定構成メッセージを送信し、ＵＥに測定構成メッセージで示すキャリア周波数位置を測定させ、測定報告を報告させるように構成された送信モジュールと、測定報告を受信し、測定報告に従いセル管理を行うよう構成された受信・セル管理モジュールとを備えた基地局に係る。
【手続補正４】
【補正対象書類名】明細書
【補正対象項目名】０００９
【補正方法】変更
【補正の内容】
【０００９】
本発明の第３の観点は、ユーザ機器（ＵＥ）と通信可能に接続された基地局を備えた通信システムであって、基地局は、ＵＥの下りサービスのトラフィックが第１閾値以上の場合、ＵＥの下りサービスのトラフィックを監視し、および／または、ＵＥの作動セルの下りチャネル状態が第２閾値以下の場合、ＵＥの作動セルの下りチャネルのチャネル状態を監視し、ＵＥに測定構成メッセージを送信して、ＵＥに測定構成メッセージが示すキャリア周波数位置を測定させかつ測定報告を報告させ、測定報告に従いセル管理を行う通信システムに係る。
【手続補正５】
【補正対象書類名】特許請求の範囲
【補正対象項目名】全文
【補正方法】変更
【補正の内容】
【特許請求の範囲】
【請求項１】
セル管理のための測定方法であって、
ユーザ機器（ＵＥ）の下りサービスのトラフィックが第１閾値以上の場合、前記ＵＥの下りサービスのトラフィックを監視し、および／または、前記ＵＥの作動セルの下りチャネルのチャネル状態が第２閾値以下の場合、前記ＵＥの作動セルの下りチャネルのチャネル状態を監視し、
前記ＵＥに測定構成メッセージを送信して、前記ＵＥに測定構成メッセージが示すキャリア周波数位置を測定させかつ測定報告を報告させ、  
測定報告に従いセル管理を行うことを特徴とする測定方法。
【請求項２】
第１閾値は、前記ＵＥの無線周波数能力および前記ＵＥの下りサービスのパケット遅延割当に応じて決定され、および／または、
第２閾値は、前記ＵＥの無線周波数能力および前記ＵＥの下りサービスのパケット遅延割当に応じて決定されることを特徴とする請求項１に記載の測定方法。
【請求項３】
測定構成メッセージを前記ＵＥに送信する前に、前記方法は、
前記ＵＥが少なくとも２つのセルが利用可能なサービング範囲内に位置すると決定することさらに含むことを特徴とする請求項１または２に記載の測定方法。
【請求項４】
前記測定報告に従いセル管理を行うことは、
測定報告を受信し、構成セルを加えること、非作動セルを起動すること、一次セルを変更することのうちの少なくとも１つを用いて測定報告に従い前記ＵＥのセルに処理を行うことを含むことを特徴とする請求項１〜３のいずれか一項に記載の測定方法。
【請求項５】
基地局であって、
ユーザ機器（ＵＥ）の下りサービスのトラフィックを監視し、前記ＵＥの下りサービスのトラフィックが第１閾値以上であることを判断するよう構成され、および／または、前記ＵＥの作動セルの下りチャネルのチャネル状態を監視し、前記ＵＥの作動セルの下りチャネルのチャネル状態が第２閾値以下であることを判断する監視決定モジュールと、
前記監視決定モジュールが、前記ＵＥの下りサービスのトラフィックが、第１閾値以上であること、および／または、前記ＵＥの作動セルの下りチャネルのチャネル状態が第２閾値以下であることを判断した後に、前記ＵＥに測定構成メッセージを送信し、前記ＵＥに測定構成メッセージで示すキャリア周波数位置を測定させ、測定報告を報告させるように構成された送信モジュールと、
測定報告を受信し、測定報告に従いセル管理を行うよう構成された受信・セル管理モジュールと
を備えることを特徴とする基地局。
【請求項６】
第１閾値決定モジュールおよび／または第２閾値決定モジュールをさらに備え、
前記第１閾値決定モジュールは、前記ＵＥの無線周波数能力および前記ＵＥの下りサービスのパケット遅延割当に応じて第１閾値を決定するように構成され、第１の閾値は、前記ＵＥの下りサービスのトラフィックが第１閾値以上であると判断するために前記監視決定モジュールに提供され、および／または、
前記第２閾値決定モジュールは、前記ＵＥの無線周波数能力および前記ＵＥの下りサービスのパケット遅延割当に応じて第２閾値を決定するように構成され、第２閾値は、前記ＵＥの作動セルの下りチャネルのチャネル状態が第２閾値以下であると判断するために前記監視決定モジュールに提供されることを特徴とする請求項５に記載の基地局。
【請求項７】
第２決定モジュールをさらに備え、
前記第２決定モジュールは、前記監視決定モジュールのトリガにより、前記送信モジュールを起動して前記ＵＥに測定構成メッセージを送信するために、前記監視決定モジュールが、前記ＵＥの下りサービスのトラフィックを監視し、前記ＵＥの下りサービスのトラフィックが第１の閾値以上であることを判断し、および／または、前記ＵＥの作動セルの下りチャネルのチャネル状態を監視し、前記ＵＥの作動セルの下りチャネルのチャネル状態が第２閾値以下であることを判断した後に、前記ＵＥが少なくとも２つのセルが利用可能なサービング範囲内に位置すると決定するように構成されることを特徴とする請求項５または６に記載の基地局。
【請求項８】
前記受信・セル管理モジュールは、特に測定報告を受信し、構成セルを加えること、非作動セルを起動すること、一次セルを変更することのうちの少なくとも１つを用いて測定報告に従い前記ＵＥのセルに処理を行うように構成されることを特徴とする請求項５〜７のいずれか一項に記載の基地局。
【請求項９】
ユーザ機器（ＵＥ）と通信可能に接続された基地局を備えた通信システムであって、
前記基地局は、前記ＵＥの下りサービスのトラフィックが第１閾値以上の場合、前記ＵＥの下りサービスのトラフィックを監視し、および／または、前記ＵＥの作動セルの下りチャネル状態が第２閾値以下の場合、前記ＵＥの作動セルの下りチャネルのチャネル状態を監視し、
前記ＵＥに測定構成メッセージを送信して、前記ＵＥに測定構成メッセージが示すキャリア周波数位置を測定させかつ測定報告を報告させ、
測定報告に従いセル管理を行うことを特徴とする通信システム。
【請求項１０】
前記基地局は、測定報告に従いセル管理を行い、特に、
前記基地局は、測定報告を受信し、構成セルを加えること、非作動セルを起動すること、一次セルを変更することのうちの少なくとも１つを用いて測定報告に従い前記ＵＥのセルに処理を行うことを含むことを特徴とする請求項９に記載の通信システム。
【国際調査報告】
2013531422.tif 000007
2013531422.tif 000008
2013531422.tif 000009
2013531422.tif 000010